(57)【要約】【課題】  魚釣りでラインの結束のために多用されるスリーブという止め金具を楽に圧着でき、スリーブに亀裂が入らないようにした圧着機能付き釣り用プライヤーを提供する。【解決手段】  プライヤーの一対の刃部のそれぞれに、魚釣りで多用される大きさのスリーブを楕円形の縦長の方向から挟んだ時にスリーブがはまる程度の半円状の穴を設け、刃部を閉じた時に円形の穴ができるようにし、またその穴の縁は角が取られている。元々強い圧力でものを切断できる刃部に円形の穴としての圧着部を設けることで、スリーブが切断されることなく楕円形を円形に近づける形で変形でき、圧着が可能となるが、半円状の穴により刃の切先が無くなり、また穴の縁の角が落としてあることにより、スリーブに亀裂が入ることは無い。【選択図】図１
0003158222.tif 000002
【実用新案登録請求の範囲】
【請求項１】
一般に魚釣りで多用される大きさで、かつ筒の外周の形が楕円形および楕円形に類したスリーブ（８の字形を含む）を圧着するため、プライヤーの一対の刃部に、それぞれスリーブを楕円形の縦長方向ではめられる程度の大きさの半円状の穴を設け、刃部を閉じた時に一つの円い穴ができるとともに、その穴の縁の角が取られているような圧着部を１つ以上持つことを特徴とするプライヤー。
【考案の詳細な説明】
【技術分野】
【０００１】  本考案は、釣り用のラインやワイヤーの結束のためのスリーブといわれる止め金具の圧着機能を備えることを目的としたプライヤーに関するものである。
【背景技術】
【０００２】  魚釣り用のラインの結束のために、スリーブという止め金具が多用されるが、このスリーブを圧着する道具として、専用の圧着工具がある。魚釣りの際、釣り針を魚から外したり、ラインを切断したりするために、プライヤーが多用されているが、釣りの現場にこのプライヤー以外に圧着の専用工具まで携帯することは面倒だった。【０００３】  その不便を解消するため、従来、プライヤーにスリーブの圧着機能を備えた種類がある。しかし、圧着機能が付いているとはいえ、従来のプライヤーで実際にスリーブを圧着するには相応の握力が必要であり、釣人によってはスリーブを楽に圧着できない場合が多々あった。【０００４】  また、ものを切断できるほど強い圧力をかけられるプライヤーの刃部で、スリーブを圧縮しようとすれば、刃でスリーブに亀裂が入る等、圧着の強度が弱まる虞があった。【０００５】  本考案のプライヤーは、一対の刃部にそれぞれ半円状の穴を設け、刃部を閉じた状態で丸い穴ができることを特徴の一つとする。従来にも、プライヤーの刃部を閉じた時に、丸く小さな穴ができるように設計されている種類がある。しかし、この従来の穴は、導線の被覆部分を剥ぐための穴であり、あくまでも導線のビニル部分等の被覆部分をつかむのに適度な大きさや形状であって、スリーブを固定、圧着するには適しておらず、仮にその穴を利用して無理にスリーブを潰そうとすれば、やはりプライヤーの刃や角がスリーブに食い込み、亀裂が入るなど、圧着の強度が弱まる虞があった。
【考案の概要】
【考案が解決しようとする課題】
【０００６】  本考案のプライヤーは、スリーブの圧着機能を有するものであるが、魚釣で用いられるスリーブは、通常２本のラインの結束を目的としているので、スリーブの穴の形状はライン２本分入るスペースがあれば十分であることから、市販されているスリーブは楕円形のものやそれに似た８の字型と言われるものが主流であり、本件考案のプライヤーも、８の字型のものを含む楕円形のスリーブの圧着を想定している。
本考案は、上記背景技術の欄に記載した従来の技術の有する問題点に鑑みてなされたものであり、誰でも簡単にスリーブの圧着ができ、かつ、圧着の際にスリーブに亀裂が入らないことを目的としている。
【課題を解決するための手段】
【０００７】  上記目的を達成するために、プライヤーの一対の刃部のそれぞれに、魚釣りで多用される大きさのスリーブを楕円形の縦長の方向から挟んだ時にスリーブがはまる程度の半円状の穴を設け、刃部を閉じた時に円形になるようにし、これを圧着部とする。穴を設けたことで刃の切先が無くなり、更に穴の縁は、図４の断面図のＧ１乃至Ｇ４、図９の断面図のＮ１乃至Ｎ４ように、圧着部の角が取られている。このような圧着部をプライヤーに１つ以上設ける。実施例１、実施例２では、異なる大きさのスリーブに対応できるように、大小異なる大きさの圧着部を２つずつ設けている。
【考案の効果】
【０００８】  本考案のプライアーは圧着部がプライヤーの刃部に位置するため、一見、スリーブを切断して二つの筒を作るような向きで刃部に挟む形になるが、実際は刃部に設けられた穴の部分でスリーブを図５のように楕円形の縦長方向から挟み圧縮するので、スリーブは楕円形から円形に近づくように変形し、この過程で圧着され、スリーブが切断されたり、亀裂が入ることは無い。【０００９】  元々ものを切断するという強い圧力をかけることが可能な構造を持つ刃部を利用し、スリーブの切断や割れを防ぎながら十分な圧縮が可能なように刃部に穴を設け、これを圧着部としたことで、従来のスリーブの圧着工具や圧着機能付きプライヤーとは圧着部の形状やスリーブへの力のかかり方が異なり、スリーブの圧着が楽にできる。【００１０】  本考案のプライヤーは、圧着部の構造上１回１回の圧縮が楽にできる一方、スリーブの大きさによっては、図１０のように１度のみの圧縮ではまだ圧縮できるスペースが残っている場合も考えられる。その場合、図１１のように残りのスペースをもう一度同様に圧縮することで、結束の強度を強めることが可能である。【００１１】  本考案のプライヤーの圧着部は、一対の刃部の一部に半円状の穴を設けることで切先が無くなり、さらに図４のＧ１乃至Ｇ４、図９のＮ１乃至Ｎ４が示すように、圧着部の角が取られている。こうすることで圧縮時にスリーブに亀裂が入ることが無く、結束の強度が下がる虞が低下する。
【図面の簡単な説明】
【００１２】
【図１】実施例１に示すラジオペンチ型プライヤーの平面図である。
【図２】ラジオペンチ型プライヤーの底面図である。
【図３】ラジオペンチ型プライヤーの右側面図である。
【図４】ラジオペンチ型プライヤーの図２のＦ−Ｆ線での断面図である。
【図５】ラジオペンチ型プライヤーのスリーブ圧縮時の刃部拡大図である。スリーブの内部のラインの図示は省略している。
【図６】実施例２に示すニッパー型プライヤーの平面図
【図７】ニッパー型プライヤーの底面図
【図８】ニッパー型プライヤーの右側面図
【図９】ニッパー型プライヤーの図７のＭ−Ｍ線での断面図である。
【図１０】図９の断面図において１回目の圧着を施したスリーブの例
【図１１】図９の断面図において２回目の圧着を施したスリーブの例
【考案を実施するための形態】
【００１３】  プライヤーの一対の刃部のそれぞれに、魚釣りで多用される大きさのスリーブを楕円形の縦長の方向から挟んだ時にスリーブがはまる程度の半円状の穴を設け、刃部を閉じた時に図１、図６のように円形の穴ができるようにする。また、その穴の縁は、図４、図９の断面図のように、平面側および底面側の角が取られている。実施例１、実施例２では、異なる大きさのスリーブに対応できるように、大小異なる大きさの圧着部を２つずつ設けている。
【実施例１】
【００１４】  以下、添付図面に従って一実施例を説明する。Ａは、米英でニードルノーズプライヤー（ｎｅｅｄｌｅ  ｎｏｓｅ  ｐｌｉｅｒｓ）と言われる、いわゆるラジオペンチ本体である。Ｂは挟持部、Ｃは刃部である。この一対の刃部にそれぞれ設けられた半円状の穴Ｄ１、Ｄ２及びＥ１、Ｅ２は圧着部ＤおよびＥを構成し、図１のように刃部を閉じた際にそれぞれ円い穴を形成する。図４は、図２での圧着部の一つであるＥを通るＦ−Ｆ線による断面図であり、Ｇ１，Ｇ２、Ｇ３，Ｇ４が示すように、穴の両側、つまり平面及び底面側の穴の縁の角を落とす。圧着部Ｄも同様に穴の縁の角が落とされている。
【実施例２】
【００１５】  以下、添付図面に従って一実施例を説明する。Ｉは、米英でカッティングプライヤー（ｃｕｔｔｉｎｇ  ｐｌｉｅｒｓ）と言われる、いわゆるニッパー本体である。Ｊは刃部である。この刃部に、実施例１と同様に、一対の刃部に、圧着部となる半円状の穴がそれぞれ２つずつ設けられ、刃部を閉じた際にそれぞれ大小異なる円い穴ＫおよびＬを形成する。図９は、図７での圧着部の一つであるＫを通るＭ−Ｍ線による断面図であり、Ｎ１，Ｎ２、Ｎ３，Ｎ４が示すように、穴の両側、つまり平面及び底面に面する穴の縁の角を落とす。圧着部Ｌも同様に穴の縁の角が落とされている。
【符号の説明】
【００１６】Ａ    ラジオペンチ本体
Ｂ    Ａの挟持部
Ｃ    Ａの刃部
Ｄ    Ａの圧着部（小）
Ｄ１  Ａの一方の杆体に形成された圧着部Ｄの一部
Ｄ２  Ａのもう一方の杆体に形成された圧着部Ｄの一部
Ｅ    Ａの圧着部（大）
Ｅ１  Ａの一方の杆体に形成された圧着部Ｅの一部
Ｅ２  Ａのもう一方の杆体に形成された圧着部Ｅの一部
Ｆ−Ｆ  この線でＡを切断した図が図４の断面図である。
Ｇ１乃至Ｇ４    圧着部Ｅを形成する穴の縁の角が取られている様子を示す。
圧着部Ｄも同様に穴の縁の角が取られている。
Ｈ    スリーブ（図５ではＨの内部を通るラインの図示を省略している）
Ｉ    ニッパー本体
Ｊ    Ｉの刃部
Ｋ    Ｉの圧着部（大）
Ｌ    Ｉの圧着部（小）
Ｍ−Ｍ  この線でＩを切断した図が図９の断面図である。
Ｎ１乃至Ｎ４    圧着部Ｋの縁の角が取られた様子を示す。
圧着部Ｌも同様に穴の縁の角が取られている。
Ｏ    Ｉの一方の杆体の圧着部Ｍにおける断面
Ｐ    Ｉのもう一方の杆体の圧着部Ｍにおける断面
Ｑ    スリーブ
Ｒ    ライン
【図１】
0003158222.tif 000003
【図２】
0003158222.tif 000004
【図３】
0003158222.tif 000005
【図４】
0003158222.tif 000006
【図５】
0003158222.tif 000007
【図６】
0003158222.tif 000008
【図７】
0003158222.tif 000009
【図８】
0003158222.tif 000010
【図９】
0003158222.tif 000011
【図１０】
0003158222.tif 000012
【図１１】
0003158222.tif 000013
【手続補正書】
【提出日】平成21年12月17日(2009.12.17)
【手続補正１】
【補正対象書類名】実用新案登録請求の範囲
【補正対象項目名】全文
【補正方法】変更
【補正の内容】
【実用新案登録請求の範囲】
【請求項１】
筒の外周の形が楕円形および楕円形に類したスリーブを圧着するため、プライヤーの一対の刃部に、それぞれスリーブを楕円形の縦長方向ではめられる程度の大きさの半円状の穴を設け、刃部を閉じた時に一つの円い穴ができるとともに、その穴の縁の角が取られているような圧着部を一つ以上持つことを特徴とするプライヤー。